(57)【要約】【課題】画像の表示可能範囲を小さくすることなく、デザイン的に操作部の自由な配置が可能で、かつ部品点数や組込み工数を抑えて、低コストで操作性に優れた電子機器を提供する。【解決手段】電子機器は、静電容量の変化を検出する機能を有するタッチパネル６と、タッチパネル６の背面側に配置される画像表示パネル１２と、タッチパネル６の画像の表示領域以外に設けられる導電部材９と、を備える。導電部材９は、外装カバー３から外観に露出して配置されるタッチ操作部９ａと、外装カバー３に覆われて、タッチパネル６の画像の表示領域以外でタッチパネル６に近接又は接触して配置されるタッチパネル近接部９ｂと、を有し、タッチパネル６は、タッチ操作部９ａを介してタッチパネル近接部９ｂで発生した静電容量の変化を検出する。【選択図】図２
2015072433.tif 000002
【特許請求の範囲】
【請求項１】
静電容量の変化を検出する機能を有するタッチパネルと、
前記タッチパネルの背面側に配置される画像表示パネルと、
前記タッチパネルの画像の表示領域以外に設けられる導電部材と、を備え、
前記導電部材は、外装カバーから外観に露出して配置されるタッチ操作部と、前記外装カバーに覆われて、前記タッチパネルの画像の表示領域以外で前記タッチパネルに近接又は接触して配置されるタッチパネル近接部と、を有し、
前記タッチパネルは、前記タッチ操作部を介して前記タッチパネル近接部で発生した静電容量の変化を検出することを特徴とする電子機器。
【請求項２】
前記導電部材は、複数並設され、前記タッチパネルが前記複数の導電部材の前記タッチ操作部を介して前記タッチパネル近接部で発生した静電容量の変化を検出したときに、前記複数の導電部材の前記タッチ操作部での指の移動を検出することを特徴とする請求項１に記載の電子機器。
【請求項３】
静電容量の変化を検出する機能を有するタッチパネルと、
前記タッチパネルの背面側に配置される画像表示パネルと、
前記タッチパネルの画像の表示領域以外に設けられる第１及び第２の導電部材と、を備え、
前記第１の導電部材は、外装カバーから外観に露出して配置され、押し込み方向に弾性変形可能なタッチ操作部と、前記外装カバーに覆われて、前記タッチパネルの画像の表示領域以外で前記タッチパネルに近接又は接触して配置されるタッチパネル近接部と、を有し、
前記第２の導電部材は、前記外装カバーに覆われて、前記タッチ操作部が押し込まれることで前記第１の導電部材が接触する位置に配置され、前記タッチパネルの画像の表示領域以外で前記タッチパネルに対して前記第１の導電部材の前記タッチパネル近接部とは異なる位置で近接又は接触して配置されるタッチパネル近接部を有し、
前記タッチパネルは、前記タッチ操作部を介して前記第１の導電部材の前記タッチパネル近接部で発生した静電容量の変化を検出するとともに、前記タッチ操作部が押し込まれて前記第１の導電部材が接触することで前記第２の導電部材の前記タッチパネル近接部で発生した静電容量の変化を検出することを特徴とする電子機器。
【請求項４】
静電容量の変化を検出する機能を有するタッチパネルと、
前記タッチパネルの背面側に配置される画像表示パネルと、
ユーザが把持するグリップ部に設けられる導電部材と、を備え、
前記導電部材は、前記グリップ部に配置されるグリップ検出部と、外装カバーに覆われて、前記タッチパネルの画像の表示領域以外で前記タッチパネルに近接又は接触して配置されるタッチパネル近接部とを有し、
前記タッチパネルは、前記グリップ検出部を介して前記タッチパネル近接部で発生した静電容量の変化を検出することを特徴とする電子機器。
【請求項５】
静電容量の変化を検出する機能を有するタッチパネルと、
前記タッチパネルの背面側に配置される画像表示パネルと、
ストロボユニットで発光したストロボ光を照射するストロボ発光窓と、
外装カバーの内側に設けられる導電部材と、
前記タッチパネルが前記静電容量の変化を検出したときに、警告する警告手段と、を備え、
前記導電部材は、前記ストロボ発光窓の周りに配置される検出部と、前記タッチパネルの画像の表示領域以外で前記タッチパネルに近接又は接触して配置されるタッチパネル近接部とを有し、
前記タッチパネルは、前記検出部を介して前記タッチパネル近接部で発生した静電容量の変化を検出することを特徴とする電子機器。
【請求項６】
機器本体と、前記機器本体に対して開閉方向に回動可能に支持される表示ユニットと、を備える電子機器であって、
前記表示ユニットは、
静電容量の変化を検出する機能を有するタッチパネルと、
前記タッチパネルの背面側に配置される画像表示パネルと、
前記タッチパネルの画像の表示領域以外に設けられる導電部材と、を備え、
前記導電部材は、複数のタッチ操作部と、前記表示ユニットの外装カバーに覆われて、前記タッチパネルの画像の表示領域以外で前記タッチパネルに近接又は接触して配置されるタッチパネル近接部と、を有し、
前記複数のタッチ操作部は、前記タッチパネルと反対側の前記外装カバー、及び表示ユニットの辺部の前記外装カバーからそれぞれ外観に露出して配置され、
前記タッチパネルは、前記複数のタッチ操作部を介して前記タッチパネル近接部で発生した静電容量の変化を検出することを特徴とする電子機器。
【請求項７】
前記タッチパネルは、前記画像表示パネルより大きく形成され、
前記タッチパネルの前記画像表示パネルの外形から突出する部分の裏面側に前記タッチパネル近接部が近接又は接触して配置されることを特徴とする請求項１乃至６のいずれか一項に記載の電子機器。
【請求項８】
静電容量の変化を検出する機能を有するタッチパネルと、
前記タッチパネルの背面側に配置される画像表示パネルと、
外装カバーの表面に指標として設けられる表面操作部と、
前記外装カバーの裏面に設けられる導電部と、を備え、
前記導電部は、前記表面操作部に対応する位置に配置される裏面操作部と、前記タッチパネルに近接又は接触して配置されるタッチパネル近接部とを有し、
前記タッチパネルは、前記表面操作部、及び前記裏面操作部を介して前記タッチパネル近接部で発生した静電容量の変化を検出することを特徴とする電子機器。
【発明の詳細な説明】
【技術分野】
【０００１】
本発明は、例えば携帯電話機や携帯情報端末、或いはデジタルカメラやデジタルカメラ等の撮像装置等の電子機器に関する。
【背景技術】
【０００２】
デジタルカメラ等の電子機器では、機器本体の背面側に配置された画面表示部にタッチパネルを採用して、操作ボタンの数を削減することでデザイン性と操作性を向上させたものがある。
【０００３】
しかし、デジタルカメラ等の操作においては、比較的頻繁に行うレリーズ操作やズーム操作等を全てタッチパネル上で行うと、常に操作アイコンを画面上に表示させる必要があり、画像の表示可能範囲が小さくなるなど使い勝手が悪くなる。従って、比較的頻繁に行う操作については、操作ボタンを画面表示部の外に別途設けることが多く、この場合、ボタン部材やスイッチの他に電気信号をメイン基板に送信する為のフレキシブルプリント基板や配線材、及びそれらを保持する部材等が別途必要となる。このため、部品点数や組込み工数が増加し、機器本体の大型化やコストアップを招く要因となっていた。
【０００４】
従来、画像の表示可能範囲を小さくすることなく、部品点数の増加等を抑制して機器本体の大型化を回避する技術として、カメラ本体の背面と上面にわたって連続的にフレキシブルディスプレイ及びタッチパネルを配置した技術が提案されている（特許文献１）。
【先行技術文献】
【特許文献】
【０００５】
【特許文献１】特開２０１０−０３５１０７号公報
【発明の概要】
【発明が解決しようとする課題】
【０００６】
しかし、上記特許文献１では、タッチパネルを屈曲させてカメラ本体に配置する必要があるため、デザイン的に操作部の配置に制約が生じてしまい、また、タッチパネルが大型化するために、コストアップにつながる可能性がある。
【０００７】
そこで、本発明は、画像の表示可能範囲を小さくすることなく、デザイン的に操作部の自由な配置が可能で、かつ部品点数や組込み工数を抑えて、低コストで操作性に優れた電子機器を提供することを目的とする。
【課題を解決するための手段】
【０００８】
上記目的を達成するために、本発明の電子機器は、静電容量の変化を検出する機能を有するタッチパネルと、前記タッチパネルの背面側に配置される画像表示パネルと、前記タッチパネルの画像の表示領域以外に設けられる導電部材と、を備え、前記導電部材は、外装カバーから外観に露出して配置されるタッチ操作部と、前記外装カバーに覆われて、前記タッチパネルの画像の表示領域以外で前記タッチパネルに近接又は接触して配置されるタッチパネル近接部と、を有し、前記タッチパネルは、前記タッチ操作部を介して前記タッチパネル近接部で発生した静電容量の変化を検出することを特徴とする。
【０００９】
本発明の電子機器は、静電容量の変化を検出する機能を有するタッチパネルと、前記タッチパネルの背面側に配置される画像表示パネルと、前記タッチパネルの画像の表示領域以外に設けられる第１及び第２の導電部材と、を備え、前記第１の導電部材は、外装カバーから外観に露出して配置され、押し込み方向に弾性変形可能なタッチ操作部と、前記外装カバーに覆われて、前記タッチパネルの画像の表示領域以外で前記タッチパネルに近接又は接触して配置されるタッチパネル近接部と、を有し、前記第２の導電部材は、前記外装カバーに覆われて、前記タッチ操作部が押し込まれることで前記第１の導電部材が接触する位置に配置され、前記タッチパネルの画像の表示領域以外で前記タッチパネルに対して前記第１の導電部材の前記タッチパネル近接部とは異なる位置で近接又は接触して配置されるタッチパネル近接部を有し、前記タッチパネルは、前記タッチ操作部を介して前記第１の導電部材の前記タッチパネル近接部で発生した静電容量の変化を検出するとともに、前記タッチ操作部が押し込まれて前記第１の導電部材が接触することで前記第２の導電部材の前記タッチパネル近接部で発生した静電容量の変化を検出することを特徴とする。
【００１０】
本発明の電子機器は、静電容量の変化を検出する機能を有するタッチパネルと、前記タッチパネルの背面側に配置される画像表示パネルと、ユーザが把持するグリップ部に設けられる導電部材と、を備え、前記導電部材は、前記グリップ部に配置されるグリップ検出部と、外装カバーに覆われて、前記タッチパネルの画像の表示領域以外で前記タッチパネルに近接又は接触して配置されるタッチパネル近接部とを有し、前記タッチパネルは、前記グリップ検出部を介して前記タッチパネル近接部で発生した静電容量の変化を検出することを特徴とする。
【００１１】
本発明の電子機器は、静電容量の変化を検出する機能を有するタッチパネルと、前記タッチパネルの背面側に配置される画像表示パネルと、ストロボユニットで発光したストロボ光を照射するストロボ発光窓と、外装カバーの内側に設けられる導電部材と、前記タッチパネルが前記静電容量の変化を検出したときに、警告する警告手段と、を備え、前記導電部材は、前記ストロボ発光窓の周りに配置される検出部と、前記タッチパネルの画像の表示領域以外で前記タッチパネルに近接又は接触して配置されるタッチパネル近接部とを有し、前記タッチパネルは、前記検出部を介して前記タッチパネル近接部で発生した静電容量の変化を検出することを特徴とする。
【００１２】
本発明の電子機器は、機器本体と、前記機器本体に対して開閉方向に回動可能に支持される表示ユニットと、を備える電子機器であって、前記表示ユニットは、静電容量の変化を検出する機能を有するタッチパネルと、前記タッチパネルの背面側に配置される画像表示パネルと、前記タッチパネルの画像の表示領域以外に設けられる導電部材と、を備え、前記導電部材は、複数のタッチ操作部と、前記表示ユニットの外装カバーに覆われて、前記タッチパネルの画像の表示領域以外で前記タッチパネルに近接又は接触して配置されるタッチパネル近接部と、を有し、前記複数のタッチ操作部は、前記タッチパネルと反対側の前記外装カバー、及び表示ユニットの辺部の前記外装カバーからそれぞれ外観に露出して配置され、前記タッチパネルは、前記複数のタッチ操作部を介して前記タッチパネル近接部で発生した静電容量の変化を検出することを特徴とする。
【００１３】
本発明の電子機器は、静電容量の変化を検出する機能を有するタッチパネルと、前記タッチパネルの背面側に配置される画像表示パネルと、外装カバーの表面に指標として設けられる表面操作部と、前記外装カバーの裏面に設けられる導電部と、を備え、前記導電部は、前記表面操作部に対応する位置に配置される裏面操作部と、前記タッチパネルに近接又は接触して配置されるタッチパネル近接部とを有し、前記タッチパネルは、前記表面操作部、及び前記裏面操作部を介して前記タッチパネル近接部で発生した静電容量の変化を検出することを特徴とする。
【発明の効果】
【００１４】
本発明によれば、画像の表示可能範囲を小さくすることなく、デザイン的に操作部の自由な配置が可能で、かつ部品点数や組込み工数を抑えて、低コストで操作性に優れた電子機器を提供することができる。
【図面の簡単な説明】
【００１５】
【図１】（ａ）は本発明の電子機器の第１の実施形態であるデジタルカメラを正面側（被写体側）から見た斜視図、（ｂ）は（ａ）に示すデジタルカメラを背面側から見た斜視図である。
【図２】図１（ｂ）のＡ−Ａ線断面図である。
【図３】（ａ）はカメラ本体の外装カバーを取り外した状態をタッチパネル側から見た斜視図、（ｂ）は（ａ）をタッチパネル側から光軸方向に見た図である。
【図４】（ａ）は本発明の電子機器の第２の実施形態であるデジタルカメラを正面側（被写体側）から見た斜視図、（ｂ）は（ａ）に示すデジタルカメラの外装カバーを取り外した状態をタッチパネル側から見た斜視図である。
【図５】図４（ａ）のＢ−Ｂ線断面図である。
【図６】（ａ）は本発明の電子機器の第３の実施形態であるデジタルカメラを正面側（被写体側）から見た斜視図、（ｂ）は（ａ）に示すデジタルカメラの外装カバーを取り外した状態を示す斜視図である。
【図７】図６（ｂ）の背面側から見た斜視図である。
【図８】（ａ）は本発明の電子機器の第４の実施形態であるデジタルカメラを背面側から見た斜視図、（ｂ）は（ａ）に示すデジタルカメラの外装カバーを取り外した状態を示す斜視図である。
【図９】（ａ）は本発明の電子機器の第５の実施形態であるデジタルカメラを背面側から見た斜視図、（ｂ）は（ａ）に示すデジタルカメラの表示ユニットを開いた状態を示す斜視図である。
【図１０】（ａ）は（ｂ）に示すデジタルカメラの表示ユニットの外装カバー及び２軸ヒンジ部を取り外した状態をカメラ本体の正面側から見た斜視図、（ｂ）は（ａ）の背面側から見た斜視図である。
【図１１】（ａ）は本発明の電子機器の第６の実施形態であるデジタルカメラを背面側から見た図、（ｂ）は（ａ）のＥ−Ｅ線断面図である。
【図１２】（ａ）は本発明の電子機器の第７の実施形態であるデジタルカメラを背面側から見た図、（ｂ）は（ａ）のＦ−Ｆ線断面図である。
【図１３】背面側の外装カバーを裏面側から見た斜視図である。
【発明を実施するための形態】
【００１６】
以下、本発明の実施形態を図面を参照して説明する。
【００１７】
（第１の実施形態）
図１（ａ）は本発明の電子機器の第１の実施形態であるデジタルカメラを正面側（被写体側）から見た斜視図、図１（ｂ）は図１（ａ）に示すデジタルカメラを背面側から見た斜視図である。
【００１８】
図１に示すように、本実施形態のデジタルカメラは、カメラ本体１の正面側にレンズ部２が設けられ、カメラ本体１の上面部にタッチ操作部１０ａが設けられる。カメラ本体１の背面側には、タッチパネル６が設けられ、タッチパネル６の側部側には、タッチ操作部７ａ〜９ａが設けられる。タッチ操作部７ａ〜１０ａは、導電部材７〜１０により構成され、タッチ操作部７ａは、ズーム機能の拡大操作を行い、タッチ操作部８ａは、ズーム機能の縮小操作を行い、タッチ操作部９ａは、戻る操作を行い、タッチ操作部１０ａは、レリーズ操作を行う。
【００１９】
図２は、図１（ｂ）のＡ−Ａ線断面図である。図３（ａ）はカメラ本体１の外装カバー３を取り外した状態をタッチパネル６側から見た斜視図、図３（ｂ）は図３（ａ）をタッチパネル６側から光軸方向に見た図である。
【００２０】
まず、導電部材７〜９について説明する。図２に示すように、導電部材９は、タッチ操作部９ａと、タッチパネル６の表面側に近接又は接触するタッチパネル近接部９ｂとを有する。タッチ操作部９ａは、タッチパネル６の側部側で外装カバー３から露出して操作可能とされ、タッチパネル近接部９ｂは、外装カバー３で覆われる。
【００２１】
なお、図示は省略するが、導電部材７，８についても、同様に、タッチ操作部７ａ，８ａと、タッチパネル６の表面側に近接又は接触するタッチパネル近接部７ｂ，８ｂとを有する。そして、タッチ操作部７ａ，８ａは、タッチパネル６の側部側で外装カバー３から露出して操作可能とされ、タッチパネル近接部７ｂ，８ｂは、外装カバー３で覆われる。
【００２２】
図２及び図３において、メイン基板１１は、レンズ部２の不図示の撮像素子に接続され、撮影画像のデータ処理を行う。画像表示パネル１２はＬＣＤパネル等で構成され、タッチパネル６の背面側に近接配置される。フレキシブルプリント基板（以下、ＦＰＣという。）６ａは、一方の端部がタッチパネル６に接続され、他方の端部がコネクタ６ｂを介してメイン基板１１に接続される。
【００２３】
導電部材７〜９は、板金部材等で構成され、外装カバー３に接着固定されている。通常、タッチパネル６は、ユーザの指等でタッチされたタッチパネル６上の静電容量の変化を検知することで、指がタッチした位置のｘｙ座標を算出することが可能である。
【００２４】
これに対し、本実施形態では、タッチ操作部９ａにユーザが指等で触れると、タッチ操作部９ａは導電部材９で構成される為、静電容量の変化がタッチパネル近接部９ｂに伝わり、その近接位置でのタッチパネル６の静電容量が変化する。これにより、タッチ操作部９ａが操作されたことが検出される。なお、タッチ操作部７ａ，８ａについても、上記同様であるため、その説明を省略する。
【００２５】
なお、導電部材７〜９を弾性変形可能な形状にしてタッチパネル近接部７ｂ〜９ｂをタッチパネル６が静電容量の変化を検知しない位置に離間配置することも可能である。この場合、タッチ操作部７ａ〜９ａを押し込んでタッチパネル近接部７ｂ〜９ｂがタッチパネル６に接近することで、静電容量の変化を検出する。このようにすることで、誤ってタッチ操作部に触れてしまった際の誤検出を防止することが可能となる。
【００２６】
次に、導電部材１０について説明する。図３に示すように、導電部材１０も同様に、板金部材等で構成され、タッチ操作部１０ａと、タッチパネル６の表面側に近接又は接触するタッチパネル近接部１０ｄとを有する。タッチ操作部１０ａは、カメラ本体１の上面部に露出して操作可能とされ、固定部１０ｂ，１０ｃを介して押し込み方向に弾性変形可能に外装カバー３に固定される。ここで、導電部材１０は、本発明の第１の導電部材の一例に相当する。
【００２７】
導電部材１０の下方には、検出部材１３が導電部材１０との間に隙間をあけて設けられる。検出部材１３は、板金部材等の導電部材で構成され、タッチパネル６の表面側に近接又は接触するタッチパネル近接部１３ａと、タッチ操作部１０ａが押し込まれた際に導電部材１０と接触する凸部１３ｂとを有する。ここで、検出部材１３は、本発明の第２の導電部材の一例に相当する。
【００２８】
そして、ユーザがタッチ操作部１０ａに指等で触れると、タッチパネル近接部１０ｄの静電容量の変化をタッチパネル６が検出し、検出結果に基づき、不図示の制御部が被写体に対するピント調整を行う。ピント調整が完了し、さらにユーザがタッチ操作部１０ａを押し込むと、導電部材１０が検出部材１３の凸部１３ｂに接触してタッチパネル近接部１３ａの静電容量の変化をタッチパネル６が検出する。タッチパネル６がタッチパネル近接部１０ｄとタッチパネル近接部１３ａの両方の静電容量の変化を検出すると、不図示の制御部による撮影動作が実行される。
【００２９】
以上説明したように、本実施形態では、タッチパネルの静電容量の変化の検出機能を活用することで、画像の表示領域以外の箇所でも簡単に操作部７ａ〜１０ａを設けることが可能となり、従来のスイッチ、ＦＰＣ、それを保持する部材やコネクタが不要となる。これにより、画像の表示可能範囲を小さくすることなく、デザイン的に操作部７ａ〜１０ａの自由な配置が可能で、かつ部品点数や組込み工数を抑えて、低コストで操作性に優れたデジタルカメラを提供することができる。
【００３０】
なお、本実施形態では、導電部材からなるタッチ操作部を板金部材で構成しているが、樹脂成形品に金属メッキを施したものでもよく、また、金属ダイキャストで形成してもよい。
【００３１】
（第２の実施形態）
次に、図４及び図５を参照して、本発明の電子機器の第２の実施形態であるデジタルカメラについて説明する。図４（ａ）は本発明の電子機器の第２の実施形態であるデジタルカメラを正面側（被写体側）から見た斜視図、図４（ｂ）は図４（ａ）に示すデジタルカメラの外装カバー３を取り外した状態をタッチパネル６側から見た斜視図である。図５は、図４（ａ）のＢ−Ｂ線断面図である。なお、上記第１の実施形態に対して、重複又は相当する部分については、各図に同一符号を付してその説明を省略する。
【００３２】
図４（ａ）に示すように、本実施形態のデジタルカメラは、カメラ本体１を正面側から見て左側の正面部及び底面部にそれぞれ正面側グリップ検出領域４ａ及び底面側グリップ検出領域４ｂが設けられている。
【００３３】
このようにカメラ本体１の２面にグリップ検出領域を設けたのは、ユーザが撮影時にグリップ部４を把持した場合は、通常、正面側グリップ検出領域４ａに指が接触する。また、ユーザがグリップ部４に触れずにカメラ本体１の上面と底面とを挟むように把持した場合は、底面側グリップ検出領域４ｂに指が接触する。つまり、撮影時のカメラ本体１の持ち方は、ユーザによって様々であるが、通常この２面のどちらかに指が触れている為、どちらの面も静電容量の変化を検出されなければ、カメラ本体１が把持されていないとおおよそ判断できる。
【００３４】
図４（ｂ）及び図５に示すように、外装カバー３の内側には、グリップ検出用の導電部材１４が接着等により固定されている。導電部材１４は、板金部材や導電テープ等で構成され、正面側グリップ検出領域４ａに対応する正面側グリップ検出部１４ａ、底面側グリップ検出領域４ｂに対応する底面側グリップ検出部１４ｂ、及びタッチパネル近接部１４ｃを有する。
【００３５】
タッチパネル近接部１４ｃは、タッチパネル６に接触又は近接して配置される。従って、カメラ本体１の正面側グリップ検出領域４ａ及び底面側グリップ検出領域４ｂの少なくとも一方に指等が触れると、タッチパネル６がタッチパネル近接部１４ｃの静電容量の変化を検出する。
【００３６】
なお、本実施形態では、ユーザがカメラ本体１のグリップ部４を把持した際に、ユーザの指と導電部材１４との距離をなるべく接近させ、静電容量の変化を検出しやすいように導電部材１４の固定部分の外装カバー３の肉厚を他の部分より薄肉にしている。また、本実施形態では、デザイン性を考慮して導電部材１４を外観に露出させていないが、より静電容量の変化を検出しやすいように露出させても良い。
【００３７】
本実施形態では、タッチパネル６がタッチパネル近接部１４ｃの静電容量の変化を検出した場合、即ち、ユーザがカメラ本体１のグリップ部４を把持した場合に、制御部によるＡＦ動作や撮影動作を可能とする。これにより、例えばカメラの携帯時の不用意なＡＦ動作を防止し、レンズ部２のズーム動作が無理な状態で行われることによるカメラの故障等を防止する。その他の構成、及び作用効果は、上記第１の実施形態と同様である。
【００３８】
（第３の実施形態）
次に、図６及び図７を参照して、本発明の電子機器の第３の実施形態であるデジタルカメラについて説明する。図６（ａ）は本発明の電子機器の第３の実施形態であるデジタルカメラを正面側（被写体側）から見た斜視図、図６（ｂ）は図６（ａ）に示すデジタルカメラの外装カバー３を取り外した状態を示す斜視図である。図７は、図６（ｂ）の背面側から見た斜視図である。なお、上記第１及び第２の実施形態に対して、重複又は相当する部分については、各図に同一符号を付してその説明を省略する。
【００３９】
図６（ａ）に示すように、本実施形態のデジタルカメラは、カメラ本体１の正面側の右上に不図示のストロボユニットで発光したストロボ光を照射するストロボ発光窓５が設けられる。ストロボ発光窓５の上下には、それぞれ検出領域５ａ，５ｂが設けられる。本実施形態では、ストロボ発光時にユーザの指等が誤ってストロボ発光窓５にかかり、ストロボ光が遮断されて、被写体に意図しない影ができるケラレを防止する。
【００４０】
図６（ｂ）及び図７に示すように、外装カバー３の内側には、導電部材１５が接着等により固定されている。導電部材１５は、板金部材や導電テープ等で構成され、検出領域５ａに対応する上部検出部１５ａ、検出領域５ｂに対応する下部検出部１５ｂ、及びタッチパネル近接部１５ｃを有する。
【００４１】
タッチパネル近接部１５ｃは、タッチパネル６に接触又は近接して配置される。従って、カメラ本体１のストロボ発光窓５の上下に設けられた検出領域５ａ，５ｂの少なくとも一方に指等がかかると、タッチパネル６がタッチパネル近接部１５ｃの静電容量の変化を検出する。
【００４２】
本実施形態では、ストロボ発光時にストロボ発光窓５の上下に指等がかかっていることを検出した場合には、制御部は、画像表示パネル１２にその旨を表示して警告するか、不図示のスピーカの音声アナウンスによる警告を行って、ケラレを防止する。その他の構成、及び作用効果は、上記第１及び第２の実施形態と同様である。
【００４３】
（第４の実施形態）
次に、図８を参照して、本発明の電子機器の第４の実施形態であるデジタルカメラについて説明する。図８（ａ）は本発明の電子機器の第４の実施形態であるデジタルカメラを背面側から見た斜視図、図８（ｂ）は図８（ａ）に示すデジタルカメラの外装カバー３を取り外した状態を示す斜視図である。なお、上記第１及び第２の実施形態に対して、重複又は相当する部分については、各図に同一符号を付してその説明を省略する。
【００４４】
図８に示すように、本実施形態のデジタルカメラは、カメラ本体１の背面側から見て、カメラ本体１の上面部の左側からタッチ操作部１０ａに向けてタッチ操作部１６ａが略等間隔で複数並設される。タッチ操作部１６ａは、板金部材等の導電部材１６により構成され、導電部材１６は、タッチ操作部１６ａの他に、タッチパネル６の表面側に近接又は接触するタッチパネル近接部１６ｂを有する。
【００４５】
タッチ操作部１６ａは、カメラ本体１の上面部に露出して操作可能とされ、タッチパネル近接部９ｂは、外装カバー３で覆われている。そして、ユーザの指等がタッチ操作部１６ａに触れた際に、タッチパネル６がタッチパネル近接部１６ｂの静電容量の変化を検出する。
【００４６】
本実施形態では、例えば、制御部は、ユーザが複数のタッチ操作部１６ａに対して指等を図の左から右に連続的に触れながらスライド移動させたとき、画像表示パネル１２に被写体を拡大表示し、反対方向に指等をスライド移動させたとき、被写体を縮小表示する。また、制御部は、画像表示パネル１２に、複数のタッチ操作部１６ａに対する指等のスライド移動量１７ａに応じた表示やその補足情報１７ｂ（本実施形態では、スライド方向）を表示する。
【００４７】
なお、複数のタッチ操作部１６ａに対する指等のスライド移動方向による被写体の拡大／縮小表示に代えて、制御部は、複数のタッチ操作部１６ａに対する指等のスライド移動量に応じて絞り値やＩＳＯ感度を変更するようにしてもよい。また、複数のタッチ操作部１６ａのそれぞれに異なる機能を個別に割り当て、制御部は、いずれかのタッチ操作部１６ａに指等が触れられたことが検出されると、触れられたタッチ操作部１６ａに応じた処理を行うようにしてもよい。
【００４８】
この場合、カメラ本体１に設けられる不図示のモード切替レバー等でモードを切り替えることで、複数のタッチ操作部１６ａに対する指等のスライド移動を検出するか、個々のタッチ操作部１６ａに指等が触れられたことを検出するかを選択することができる。
【００４９】
また、制御部は、上述したスライド移動の検出や個別のタッチ操作部１６ａの操作内容を画像表示パネル１２に表示させ、タッチパネル６での操作も可能とすることで、ユーザの使い勝手の選択肢を増やすことができる。その他の構成、及び作用効果は、上記第１及び第２の実施形態と同様である。
【００５０】
（第５の実施形態）
次に、図９及び図１０を参照して、本発明の電子機器の第５の実施形態であるデジタルカメラについて説明する。図９（ａ）は本発明の電子機器の第５の実施形態であるデジタルカメラを背面側から見た斜視図、図９（ｂ）は図９（ａ）に示すデジタルカメラの表示ユニットを開いた状態を示す斜視図である。図１０（ａ）は図９（ｂ）に示すデジタルカメラの表示ユニットの外装カバー及び２軸ヒンジ部を取り外した状態をカメラ本体の正面側から見た斜視図、図１０（ｂ）は図１０（ａ）の背面側から見た斜視図である。なお、上記第１の実施形態に対して、重複又は相当する部分については、各図に同一符号を付してその説明を省略する。
【００５１】
図９に示すように、本実施形態のデジタルカメラは、カメラ本体１の背面側に、表示ユニット１８が２軸ヒンジ部１９を介してカメラ本体１に対して開閉方向（矢印Ｄ方向）に回動可能にかつ開状態で矢印Ｃ方向に回転可能に支持されている。カメラ本体１の背面側には、閉状態の表示ユニット１８が収納される収納凹部１ａが設けられる。また、カメラ本体１の背面側上部には、ファインダ部２０が設けられ、カメラ本体１の上面部には、通常のレリーズボタン２０ａが設けられている。ここで、カメラ本体１は、本発明の機器本体の一例に相当する。
【００５２】
図９及び図１０に示すように、表示ユニット１８は、タッチパネル６、タッチパネル６の背面側に配置される画像表示パネル１２、外装カバー１８ａ、及び導電部材２１，２２を有する。タッチパネル６及び画像表示パネル１２は、略同一の形状及び大きさとされ、タッチパネル６の表面側周縁及び画像表示パネル１２の背面側全域は、外装カバー１８ａにより覆われる。
【００５３】
導電部材２１，２２は、板金部材等で構成されて、タッチパネル６及び画像表示パネル１２の上辺部に互いに隣接して設けられる。また、導電部材２１は、複数のタッチ操作部２１ａ，２１ｂ及びタッチパネル近接部２１ｃを有し、導電部材２２は、複数のタッチ操作部２２ａ，２２ｂ及びタッチパネル近接部２２ｃを有する。
【００５４】
タッチ操作部２１ａ，２２ａは、タッチパネル６の反対側で画像表示パネル１２の背面側上部に対向して外装カバー１８ａから外観に露出して配置される。タッチ操作部２１ｂ，２２ｂは、タッチパネル６及び画像表示パネル１２の上辺側部で外装カバー１８ａから外観に露出して配置される。タッチパネル近接部２１ｃ，２２ｃは、タッチパネル６の表面側上部に近接又は接触して配置されて外装カバー１８ａにより覆われる。
【００５５】
タッチ操作部２１ａ，２１ｂ，２２ａ，２２ｂにユーザが指等で触れると、その静電容量の変化がタッチパネル近接部２１ｃ，２２ｃに伝わり、その近接位置でのタッチパネル６の静電容量が変化する。これにより、タッチ操作部２１ａ，２１ｂ，２２ａ，２２ｂが操作されたことが検出される。
【００５６】
本実施形態では、図９（ａ）に示すように、タッチパネル６がカメラ本体１の収納凹部１ａに対向するように表示ユニット１８を閉じた状態では、タッチパネル６での操作ができない。この場合、タッチ操作部２１ａ，２２ａにズーム操作等の撮影時に必要な機能を割り当てることでその操作が可能となる。
【００５７】
また、図９（ｂ）に示すように、表示ユニット１８の開状態では、タッチ操作部２１ｂ，２２ｂを操作する。これにより、タッチパネル６に操作キー表示を設けて画像の表示可能範囲を狭めることなく、表示画面を見ながらタッチ操作部２１ｂ，２２ｂでの操作が可能となる。その他の構成、及び作用効果は、上記第１の実施形態と同様である。
【００５８】
（第６の実施形態）
次に、図１１を参照して、本発明の電子機器の第６の実施形態であるデジタルカメラについて説明する。図１１（ａ）は本発明の電子機器の第６の実施形態であるデジタルカメラを背面側から見た図、図１１（ｂ）は図１１（ａ）のＥ−Ｅ線断面図である。なお、上記第１の実施形態に対して、重複又は相当する部分については、各図に同一符号を付してその説明を省略する。
【００５９】
図１１に示すように、本実施形態のデジタルカメラは、タッチパネル６が画像表示パネル１２より大きく形成され、タッチパネル６の画像表示パネル１２の外形から突出する部分の裏面側に導電部材９のタッチパネル近接部９ｂが近接又は接触して配置される。そして、タッチ操作部９ａにユーザが指等で触れると、静電容量の変化がタッチパネル近接部９ｂに伝わり、その近接位置でのタッチパネル６の静電容量が変化する。これにより、タッチ操作部９ａが操作されたことが検出される。
【００６０】
一般に、タッチパネル６は、電極層よりも裏面側にグランド層を設けて裏面側周辺の電気部品から発生するノイズの影響を抑制する構造を取っている。この場合、タッチパネル近接部９ｂの周辺のタッチパネル６のグランドを削除し、タッチ操作部９ａの静電容量の変化がタッチパネル６の電極層に伝わるようにする。なお、導電部材７，８のタッチ操作部７ａ，８ａ及びタッチパネル近接部７ｂ，８ｂについても、同様である。
【００６１】
このように、タッチパネル近接部７ｂ，８ｂ，９ｂをタッチパネル６の裏面側に配置することで、タッチパネル６と外装カバー３との間のクリアランスを小さくすることができ、カメラ本体１の薄型化に貢献できる。その他の構成、及び作用効果は、上記第１の実施形態と同様である。
【００６２】
（第７の実施形態）
次に、図１２及び図１３を参照して、本発明の電子機器の第７の実施形態であるデジタルカメラについて説明する。図１２（ａ）は本発明の電子機器の第７の実施形態であるデジタルカメラを背面側から見た図、図１２（ｂ）は図１２（ａ）のＦ−Ｆ線断面図である。図１３は、背面側の外装カバー３ｂを裏面側から見た斜視図である。なお、上記第１の実施形態に対して、重複又は相当する部分については、各図に同一符号を付してその説明を省略する。
【００６３】
図１２（ａ）に示すように、本実施形態のデジタルカメラは、タッチパネル６の側部側に、表面操作部７１ａ〜９１ａが設けられる。表面操作部７１ａ〜９１ａは、指標であり、背面側の外装カバー３ｂの表面に印刷等によって形成される。外装カバー３ｂの表面操作部７１ａ〜９１ａの裏面側には、図１２（ｂ）及び図１３に示すように、それぞれ導電部７１〜９１が設けられる。導電部７１〜９１は、本実施形態では、金属蒸着により形成されている。
【００６４】
導電部７１〜９１は、表面操作部７１ａ〜９１ａに対応する位置に配置される裏面操作部７１ｃ〜９１ｃと、タッチパネル６の表面側に近接又は接触して配置され、裏面操作部７１ｃ〜９１ｃと電気的に導通するタッチパネル近接部７１ｂ〜９１ｂとを有する。そして、表面操作部７１ａ〜９１ａにユーザが指等で触れると、その静電容量の変化が裏面操作部７１ｃ〜９１ｃからタッチパネル近接部７１ｂ〜９１ｂに伝わり、その近接位置でのタッチパネル６の静電容量が変化する。これにより、表面操作部７１ａ〜９１ａが操作されたことが検出される。
【００６５】
ここで、本実施形態では、導電部７１〜９１の裏面操作部７１ｃ〜９１ｃが設けられる部位での外装カバー３ｂの肉厚を他の部位より薄くして、ユーザの指等が触れる表面操作部７１ａ〜９１ａと裏面操作部７１ｃ〜９１ｃとの距離を短くしている。これにより、静電容量の変化の検出精度が向上するとともに、表面操作部７１ａ〜９１ａ以外での誤検出が防止される。
【００６６】
また、導電部７１〜９１のタッチパネル近接部７１ｂ〜９１ｂが設けられる部位での外装カバー３ｂの肉厚を他の部分より厚くしている。これにより、タッチパネル近接部７１ｂ〜９１ｂとタッチパネル６との位置精度が向上する。
【００６７】
本実施形態では、導電部を金属蒸着で形成した場合を例示したが、導電塗装や部分メッキ等で導電部を形成してもよい。また、外装カバーの裏面に板金や導電性シートを取り付けて導電部を形成してもよいし、ＰＥＴシート等の薄いシートに導電塗装もしくは導電印刷した部材を貼りつけて導電部を形成してもよい。
【００６８】
なお、本発明の構成は、上記各実施形態に例示したものに限定されるものではなく、材質、形状、寸法、形態、数、配置箇所等は、本発明の要旨を逸脱しない範囲において適宜変更可能である。
【符号の説明】
【００６９】
１  カメラ本体
２  レンズ部
３  外装カバー
６  タッチパネル
７〜１０  導電部材
７ａ〜１０ａ  タッチ操作部
７ｂ〜１０ｂ  タッチパネル近接部
１１  メイン基板
１２  画像表示パネル
【図１】
2015072433.tif 000003
【図２】
2015072433.tif 000004
【図３】
2015072433.tif 000005
【図４】
2015072433.tif 000006
【図５】
2015072433.tif 000007
【図６】
2015072433.tif 000008
【図７】
2015072433.tif 000009
【図８】
2015072433.tif 000010
【図９】
2015072433.tif 000011
【図１０】
2015072433.tif 000012
【図１１】
2015072433.tif 000013
【図１２】
2015072433.tif 000014
【図１３】
2015072433.tif 000015